(57)【特許請求の範囲】
【請求項１】
筆記具本体に別体で設けられる筆記具用キャップであって、内部に中空部が形成されるとともに両端部が開口形成されたキャップ本体と、該キャップ本体内部に配置され、前記筆記具本体先端のペン先部を覆い保護するためのインナーキャップとを備え、前記キャップ本体は、その中空部の先端側に前記インナーキャップをガイドするガイド部が突出形成される天冠部が設けられた筆記具用キャップにおいて、
前記天冠部は、視認性を有する材料により形成され、軸心方向に沿って、外周壁部の壁の厚さが違う厚肉部と薄肉部とが形成されたことを特徴とする筆記具用キャップ。
【請求項２】
前記インナーキャップは、前記天冠部内部の先端側にコイルスプリングを介して軸心方向に沿って移動自在に配設されるとともに、軸心方向に沿った一端部に前記コイルスプリングを収容するためのスプリング収容部が設けられ、他端部にペン先部を覆うためのペン先収容部が形成されたことを特徴とする請求項１に記載の筆記具用キャップ。
【請求項３】
前記天冠部の外周壁部の厚肉部と薄肉部との壁厚寸法差を、２倍以上とすることを特徴とする請求項１又は２に記載の筆記具用キャップ。
【請求項４】
前記ガイド部は、軸心方向に沿って形成されるリブを備えることを特徴とする請求項１乃至３のうちの何れか一項に記載の筆記具用キャップ。
【請求項５】
前記キャップ本体および天冠部の材質は、アクリル、ポリカーボネート、ポリスチレン、ＡＳ樹脂、ＡＢＳ樹脂、ナイロン、ポリオレフィン系樹脂、ポリエチレンテレフタレート、及び前記各樹脂ベースのアロイを含む視認性を有する樹脂材とすることを特徴とする請求項１乃至４のうちの何れか一項に記載の筆記具用キャップ。
【請求項６】
前記インナーキャップの材質は、不透明の樹脂材とすることを特徴とする請求項２乃至５のうちの何れか一項に記載の筆記具用キャップ。
【発明の詳細な説明】
【０００１】
【発明の属する技術分野】
本発明は、筆記具用キャップに関し、特に、筆記具本体に着脱自在に別体で構成され、キャップ本体とインナーキャップを有する筆記具用キャップに関するものである。
【０００２】
【従来の技術】
一般に、油性ボールペンや水性ボールペンなど筆記具には、不使用時には筆記部前端を包囲して保護するように着脱自在のキャップが設けられている。
特に、一部の筆記具においては、筆記部（ペン先部）のインクが乾燥しないようにその先端部を外気から遮断すべく、インナーキャップで筆記部の先端部を密閉包囲するようにしたものが知られている。
また、従来の筆記具の多くは、筆記具のインクの色をキャップの色により識別するようにされている。
さらには、キャップに天冠などの飾り部品を設けた上に、色表示の小部品を追加することが一般的である。
【０００３】
【発明が解決しようとする課題】
しかしながら、色付きキャップを筆記部の先端部に装着した場合、ペン先部の密閉状態が確認できないという問題点があった。
特に、インナーキャップが採用された筆記具においては、インナーキャップとペン先部との間に何かが挟まった状態でキャップ本体が筆記具本体に装着された場合、インナーキャップのペン先部周辺の密閉性を保てないため、ペン先部が乾燥してしまい、知らぬ間に使用不能になるという問題点があった。
また、天冠や色表示の小部品を追加した場合は、部品の増加、組立費の増大、さらに、組付け部の外観を損なうという問題点があった。
【０００４】
本発明は、上記従来の問題点に鑑みてなされたものであり、簡単な構成で、筆記具のインク色の識別を可能とし、外観を良好にできるとともに、インナーキャップとペン先部との密閉状態を確認できる筆記具用キャップを提供することを目的とするものである。
【０００５】
【課題を解決するための手段】
本発明は、筆記具用キャップに係り、筆記具本体に別体で設けられる筆記具用キャップであって、内部に中空部が形成されるとともに両端部が開口形成されたキャップ本体と、該キャップ本体内部に配置され、前記筆記具本体先端のペン先部を覆い保護するためのインナーキャップとを備え、前記キャップ本体は、その中空部の先端側に前記インナーキャップをガイドするガイド部が突出形成される天冠部が設けられた筆記具用キャップにおいて、前記天冠部は、視認性を有する材料により形成され、軸心方向に沿って、外周壁部の壁の厚さが違う厚肉部と薄肉部とが形成されたことを特徴とするものである。
【０００６】
尚、以下の構成とすることもできる。
筆記具本体に別体で設けられる筆記具キャップであって、内部に中空部が形成されるとともに両端部が開口形成されたキャップ本体と、該キャップ本体内部に配置され、前記筆記具本体先端のペン先部を覆い保護するためのインナーキャップを備え、前記キャップ本体には、その中空部の先端側に天冠部が設けられており、天冠部とインナーキャップは一体で形成されるとともに、天冠部は、視認性を有する材料により形成され、軸心方向に沿って、外周壁部の壁の厚さが違う厚肉部と薄肉部とが形成されたことを特徴とするものである。
このような構成とすることで、請求項１に記載した発明が有する効果の他に、天冠部とインナーキャップは一体で形成されるためスプリング等を削除できるとともに１部品で成形できるため、コストを低減できるという効果を有する。
尚、この構成に請求項３、請求項５に規定するような限定事項を付加することもできる。
【０００７】
また、前記インナーキャップは、前記天冠部内部の先端側にコイルスプリングを介して軸心方向に沿って移動自在に配設されるとともに、軸心方向に沿った一端部に前記コイルスプリングを収容するためのスプリング収容部が設けられ、他端部にペン先部を覆うためのペン先収容部が形成されることが好ましい。
また、前記天冠部の外周壁部の厚肉部と薄肉部との壁厚寸法差を、２倍以上とすることが好ましい。
また、前記ガイド部は、軸心方向に沿って形成されるリブを備えることが好ましい。
また、前記キャップ本体および天冠部の材質は、アクリル、ポリカーボネート、ポリスチレン、ＡＳ樹脂（アクリロニトリル・スチレン樹脂）、ＡＢＳ樹脂、ナイロン、ポリオレフィン系樹脂、ポリエチレンテレフタレート、及び前記各樹脂ベースのアロイ（例えば、ＰＣ／ＰＥＴ、Ｃｏ−ＰＥＴ（ＰＥＴ／ＰＣＴ（ポリシクロヘキサンジメタノール））等の樹脂をベースにしたもの）を含む視認性を有する樹脂材（例えば、透明度８０％以上の透明樹脂材あるいは半透明樹脂材、または、前記透明樹脂材あるいは半透明樹脂材に着色したもの）とすることが好ましい。
【０００８】
本発明によれば、筆記具本体に別体で設けられる筆記具用キャップにおいて、天冠部を透明または半透明の樹脂材により形成することにより、内部構造を視認できるので、インナーキャップのペン先部との装着状態を確認することができる。また、天冠部の構成を、軸心方向に沿って、外周壁部の壁の厚さが違う厚肉部と薄肉部とを交互に形成するようにしたことで、薄肉化による材料削減を可能とするとともに、部分的に厚肉にすることで必要個所の強度を確保することができ、さらに、色付き樹脂材を使用した場合、色の濃淡部ができるので色合いに変化のある美しい外観を実現できる。
【０００９】
また、前記天冠部の外周壁部の厚肉部と薄肉部との壁厚寸法差を、２倍以上とすることで薄肉による材料削減を可能とするとともに、必要個所の強度を確保することができる。
また、前記ガイド部は、軸心方向に沿って形成されるリブを備えることで、材料削減を可能とするとともに、必要個所の強度を確保することができる。
また、前記キャップ本体および天冠部の材質を、アクリル、ポリカーボネート、ポリスチレン、ＡＳ樹脂、透明ＡＢＳ樹脂、透明ナイロン、透明ポリオレフィン系樹脂、ポリエチレンテレフタレート、及び前記各樹脂ベースのアロイなどの透明度８０％以上の透明樹脂材、または、前記透明樹脂材に着色したものとすることで、内部構造を視認できるので、インナーキャップのペン先部との装着状態を確認できるとともに、インナーキャップの色をキャップが装着される筆記具のインクの色と同様の色とすることで、筆記具の色の識別化を図り、かつ、透明のキャップ本体を共通化することができるので、製作部品点数の削減とコストの低減を図ることができる。
【００１０】
【発明の実施の形態】
以下、本発明の実施形態を、図面を参照して詳細に説明する。
図１〜図４は本発明の実施形態の一例であって、図１の（ａ）は本発明の実施形態に係る筆記具用キャップを装着した筆記具の全体の構成を示す説明図、（ｂ）は前記筆記具を使用する状態の構成を示す説明図、図２は前記筆記具用キャップをペン先部に装着した状態のペン先部付近の構成を示す詳細断面図、図３は前記筆記具用キャップを筆記具の後端部に装着した状態の後端部の構成を示す詳細断面図、図４の（ａ）は前記筆記具用キャップの天冠部の構成を示す側面図、（ｂ）は（ａ）のＡ−Ａ矢視断面図、（ｃ）は（ａ）のＢ−Ｂ矢視断面図である。
【００１１】
本実施形態は、図１の（ａ）、（ｂ）に示すように、筆記具本体２と、別体に構成され筆記具用キャップ３を備える筆記具１である。
前記筆記具本体２は、内部にインクが充填されるインクタンク４と先軸５を一体に構成されるリフィール６と、該リフィール６が装着される後軸７を備え、前記インクタンク４を前記後軸７内に収容するとともに、前記リフィール６を前記後軸７に着脱自在に装着するものである。
【００１２】
前記インクタンク４は、透明の樹脂製であって、内部の構成およびインクを視認可能としている。前記インクタンク４と先軸５との境界部付近の外周部には、ネジ部４ａが形成され、後軸７に螺着するようになっている。前記インクタンク４前側のペン先部８には、ペン先支持部９ａ、９ｂを介してペン先８ａが組み込まれている。前記ペン先部８後方のインクタンク４内には、インク保溜体１０が設けられ、インクを保溜してインク漏れを防止するようになっている。
【００１３】
前記インク保溜体１０は、外周面に多数形成された周溝を保溜溝１０ａとし、この保溜溝１０ａを連通させる縦溝（図示省略）が形成されている。この縦溝はインク室１１に通じており、インク室１１内の空気が温度変化等で膨張しインクをインク室１１から押し出そうとしたとき、ペン先部８からインクをボタ落ちさせないように前記縦溝を経て保溜溝１０ａに一時的に溜め、また、インク室１１の空気が収縮し元の状態に戻ったときは保溜溝１０ａのインクはインク室１１に戻る機能を成している。
【００１４】
前記インク保溜体１０の中心部には、軸方向に通気孔１２が形成され、この通気孔１２にインク誘導芯１３が該通気孔１２の後部（インク室側）では圧入嵌合か又は多少の隙間をもって貫装されている。更に、このインク誘導芯１３の先端は、ペン先部８に接続されてインク室１１のインクをペン先部８に供給するようになっている。
また、インク室１１のインクをペン先部８に供給するインク誘導芯１３を付設させるための通気孔１２が形成されたインク保溜体１０の側面部には、上記通気孔１２に連通する通気孔（図示省略）が設けられている。
【００１５】
前記リフィール６の外形形状は、前記ネジ部４ａを境に前側の先軸５の外径が、インクタンク４の後側部４ｂの外径より大径とした、いわゆる段付き形状を呈している。この段付き部５ａから一部の範囲で先軸５の先端方向に向かい先細りのテーパー状に形成されている。前記ネジ部４ａから後側部４ｂへの形状は、後方に向かいやや先細りのテーパー状に形成されている。
【００１６】
前記後軸７は、透明の樹脂製であって内部に収容されるインクタンク４を視認可能とするとともに、一端部７ａ側が開口形成され、その内側に前記ネジ部４ａに対応する位置にネジ部７ｂが形成されている。
前記一端部７ａは、外径を前記段付き部５ａの外径よりも大径とされている。
すなわち、前記一端部７ａにリフィール６を螺着した状態で、該一端部７ａの外側端部がリフィール６の外側端部よりも外側に位置するため、キャップ３を装着した時に、に該キャップ３の端部が前記一端部７ａの端部に当接して、いわゆるストッパーの役割を成すようにされている。
【００１７】
また、前記後軸７は、前記一端部７ａから後端部７ｃに向かいやや先細りの円筒形状の外形を呈しており、その内部にインクタンク４を収容して、該インクタンク４を全周に亘り覆うようにされている。
前記後軸７の後端部７ｃは、閉ざされた略半球状を呈し、その略中央部には該後軸７内部と外部とを連通する通気孔１５が形成されている。
【００１８】
前記キャップ３は、図２、図４の（ａ）〜（ｃ）に示すように、キャップ本体２０と天冠部２１とが別体に着脱可能に構成されており、その内部の天冠部２１側にインナーキャップ２２が配置され、該天冠部２１外側部にはクリップ２３が別体で設けられている。
前記キャップ本体２０は、着色された不透明の樹脂製で、略円筒形状を呈し、一端部に天冠部２１が嵌入される前開口部２０ａが形成されるとともに、他端部に前記先軸５の段付き部５ａが嵌入される後開口部２０ｂが形成されている。
【００１９】
前記前開口部２０ａの内側には、図２に示すように、天冠部２１を保持固定するための天冠部係止部２０ｃとインナーキャップ２２の脱落防止用のインナーキャップ係止部２０ｄとが各々円周方向に沿って内側に向かい連続的に突設され、また、嵌入される先軸５のペン先側端部５ｂを狭持するための第１の突出部である軸係止部２０ｅが円周方向に沿って２列に、かつ、各々の列に複数箇所で内側に向かい突設されている。
【００２０】
詳しくは、前記軸係止部２０ｅの突出量は、各々の突出した先端部を外接する円（仮想の円）の直径Ｄ１が、後端部７ｃの外径Ｄ２より僅かに小さい寸法となるようにされている。尚、キャップ本体２０は、円の直径Ｄ１と後端部７ｃの外径Ｄ２の寸法差分だけ歪んでも破損しないようになっていることは言うまでもない。また、この軸係止部２０ｅと後端部７ｃによる歪みの反力によって生じる後端部表面の摩擦力は、コイルスプリング２６のバネ力よりも僅かに大きく設定されている。
【００２１】
一方、前記後開口部２０ｂの内径は、前記段付き部５ａの外径よりもやや小径として、筆記具本体２にキャップ３を装着した状態できつい嵌合となるように形成されている。
【００２２】
前記天冠部２１は、図２、図４の（ａ）〜（ｃ）に示すように、着色された不透明の樹脂製で、先端部２１ａの形状を略半球形状とした略砲弾状とし、他端部２１ｂ側を開口形成するとともに略円筒形状として、その内側を中空にしてインナーキャップ２２が設置されるように形成されている。
前記天冠部２１の外周部は、図３に示すように、軸心方向に沿って、外周壁部の壁の厚さが違う厚肉部と薄肉部とが交互に形成され、先端部側より外壁部の厚さをｔ１、ｔ２、ｔ３とすると、ｔ１＞ｔ２、ｔ３＞ｔ２としている。
【００２３】
前記先端部２１ａは、その内側壁の一部を軸心方向に沿って後方に突出させて、前記インナーキャップ２２のストローク量を規制するともにガイドするストローク規制部であるガイド部２１ｊが形成されている。
前記他端部２１ｂは、円筒状の外径を前記キャップ本体２０の前開口部２０ａの内径と略同寸法とするとともに、該先端部２１ａが前記キャップ本体２０の前開口部２０ａに嵌入された状態で、該先端部２１ａ外周の前記天冠部係止部２０ｃと対向する位置に、ノッチ部２１ｎが円周方向に沿って連続的に形成されている。
【００２４】
また、前記天冠部２１には、図２、図４の（ａ）に示すように、外側部の略中央に、クリップ２３が取付けられる取付け面２１ｃが軸心方向と略平行にかつ平坦に形成されている。該取付け面２１ｃの上側には、クリップ２３の内側面と当接して該クリップ２３を位置決めするためのストッパー部２１ｄが前記取付け面２１ｃと略平行に突設されている。
【００２５】
前記クリップ取付部２１ｅは、図４の（ａ）〜（ｃ）に示すように、前記取付け面２１ｃからの立ち上がり部分の左右側部に、幅方向に狭まるガイド溝２１ｆが形成されている。
また、前記クリップ取付部２１ｅの略中央部には、図４の（ａ）〜（ｃ）に示すように、天冠部２１の内側空間部と外部とを連通する通気孔２５が形成されている。前記通気孔２５は、平面視で軸心方向に長い断面矩形状を呈している。
【００２６】
前記天冠部２１の外側部には、前記取付け面２１ｃの外周に沿って、外周輪郭より凹んだ状態で、かつ、先端部２１ａ側を軸心に近く、他端部２１ｂに向うに連れて遠くなる、先端下がりに凹部２１ｈが形成されている。
【００２７】
前記クリップ２３は、金属製で成形加工されたものであって、図１に示すように、該クリップ２３の全長をキャップ３の全長よりも短く構成されており、一端部をキャップへ装着するための取付部２３ａとし、他方端を開放端部２３ｂとして構成されている。
【００２８】
前記取付部２３ａは、図２、図４の（ａ）〜（ｃ）に示すように、クリップ取付部２１ｅを覆うとともに、側面視でその先端部を該クリップ取付部２１eの側壁に対向させた略Ｌ字断面形状に形成されている。
また、取付部２３ａは、前記クリップ取付部２１ｅと対向する部分を側面視で略断面Ｃ字形状（下方に開放したＣ字）に形成され、狭持部２３ｃを折り曲げ形成している。また、図４の（ｃ）に示すように、該クリップ取付部２１ｅ端部より後方の部分は、側面視で略断面コ字形状（下方に開放したコ字）に形成されている。
【００２９】
前記クリップ取付部２１ｅのクリップ２３を取付けた状態で、図４に示すように、該クリップ取付部２１ｅと取付部２３ａとの間に隙間を形成して空気通路２４を構成するようにされている。
【００３０】
前記インナーキャップ２２は、筆記具に使用されるインクと同色に着色された不透明の樹脂製で形成され、図２に示すように、外径を天冠部２１の中空部の内径より小径とする略円筒形状の外形を有し、該インナーキャップ２２の外周壁と前記天冠部２１の内周壁との間に空間をつくり、空気通路２７を形成している。
前記空気通路２７は前記通気孔２５を介してキャップ３外部と連通されている。
【００３１】
前記インナーキャップ２２の一端部には、天冠部２１のガイド部２１ｊおよび後記するコイルスプリング２６が挿入されるスプリング収容部２２ａが形成され、該スプリング収容部２２ａにコイルスプリング２６が配置され、一方、他端部には、ペン先部８か収容されるペン先収容部２２ｂが形成され、その開口側端部２２ｃと該ペン先部８外周の一部が当接する状態で、ペン先８ａがインナーキャップ２２内壁と接触しないようにされている。
前記スプリング収容部２２ａの底部には、ストッパー部２２ｆが開口側に向かい突設されており、キャップ３内にペン先部８が収容された状態で、該ストッパー部２２ｆと前記ガイド部２１ｊとが当接しないようにされている。
【００３２】
前記他端部側の外周部には、円周方向に沿ってガイド羽２２ｄが複数個突出形成されており、キャップ本体２０の内周壁をガイドにして、インナーキャップ２２の外周壁がキャップ本体２０の内周壁と接することなく、インナーキャップ２２が摺動自在に設置されている。また、隣り合うガイド羽２２ｄの間の空間を空気通路２２ｅとして、インナーキャップ２２内部のキャップ先端側と筆記体側との空間を連通可能にしている。
【００３３】
前記ガイド部２１ｊの外周部は、図２、図４の（ｃ）に示すように、リブ２１ｊ−１が、軸心方向に沿って基部２１ｊ−２から先端部２１ｊ−３に亘り円周方向断面形状で略十字状に４箇所で放射状に突出形成されている。その先端部２１ｊ−３は、図３に示すように、先細りのテーパー形状を呈している。このテーパー形状によりコイルスプリング２６を容易に設置し易くしている。
【００３４】
前記ガイド部２１ｊの軸方向中央部より先端部２１ｊ−３側には、先端部２１ｊ−３側が細い段付き部２１ｊ−４が形成され、そこにコイルスプリング２６が係止されるようになっている。
前記段付き部２１ｊ−４は、付勢されたコイルスプリング２６によってインナーキャップ２２が押し戻された位置で、該インナーキャップ２２のスプリング収容部２２ａ端部よりスプリング収容部２２ａ内側の位置に形成されている。これにより、インナーキャップ２２がコイルスプリング２６に押し戻された状態になっても、該コイルスプリング２６がスプリング収容部２２ａより露出することはないようになっている。
【００３５】
ここで、本実施形態による筆記具用キャップの装着について説明する。
筆記具１を使用しない場合は、筆記具１のペン先部８にキャップ３を装着して、ペン先部８が露出した状態で不用意に他を汚さないように、また、ペン先が乾燥しないようにする。
このとき、キャップ３は、図１の（ａ）、図２に示すように、後開口部２０ｂが後軸７一端部７ａと当接した状態で先軸５の段付き部５ａと嵌合するとともに、軸係止部２０ｅにペン先側端部５ｂが嵌合してインクタンク４に装着保持される。キャップ３内のペン先部８は、インナーキャップ２２を押圧した状態で配置されている。
【００３６】
前記インナーキャップ２２は、天冠部２１のガイド部２１ｊと該インナーキャップ２２のストッパー部２２ｆとが当接しない状態で、コイルスプリング２６によりペン先部８に付勢されている。これにより、開口側端部２２ｃがペン先部８に密着することで、ペン先をペン先収容部２２ｂ内に密閉した状態で収容できる。
【００３７】
一方、筆記具１を使用する場合は、キャップ３を筆記具本体２先端部より外し、該筆記具本体２の後端部に装着して使用する。
このとき、キャップ３は、図１の（ｂ）、図３に示すように、インナーキャップ係止部２０ｄおよび軸係止部２０ｅによるきつい嵌合で後軸７の後端部７ｃに保持されるとともに、インナーキャップ２２を押圧した状態で装着されている。
【００３８】
前記キャップ３は、インナーキャップ２２が後端部７ｃによりコイルスプリング２６を付勢しながらキャップ３内に押し込まれ、ストッパー部２２ｆが天冠部２１のガイド部２１ｊと当接することで後軸７の後端部の所定位置に装着される。
【００３９】
以上のように構成したので、本実施形態によれば、キャップ本体２０を透明の樹脂材により形成することで、キャップ本体２０の中空部に配置されるインナーキャップ２２とペン先部８の装着状態を確認することができる。
また、前記インナーキャップ２２を、筆記具に用いられるインクと同様な色の不透明の樹脂材により形成することで、使用するインクの識別が可能になるとともに、インナーキャップ２２内部に設けられたコイルスプリング２６やペン先部８等を見せることなく、筆記具の外観を良好にすることができる。
【００４０】
また、ガイド部２１ｊの先端部２１ｊ−３側に細い段付き部２１ｊ−４を形成し、前記段付き部２１ｊ−４を、付勢されたコイルスプリング２６によってインナーキャップ２２が押し戻された位置で、該インナーキャップ２２のスプリング収容部２２ａ端部よりスプリング収容部２２ａ内側の位置に形成したので、筆記具１非使用時に筆記具用キャップ３を筆記具本体２のペン先部８側に装着した状態で、前記スプリング収容部２２ａから露出することなく該スプリング収容部２２ａ内に配置でき、かつ、筆記具１使用時に筆記具用キャップ３を筆記具本体２のペン先部８側から外した状態で、前記スプリング収容部２２ａから露出することなく該スプリング収容部２２ａ内に配置することができる。これにより、コイルスプリング２６等の作動構成を見せることなく、筆記具１の外観を良好にすることができる。
【００４１】
また、本実施形態に係る筆記具用キャップ３のキャップ本体や天冠部等の材質を、アクリル、ポリカーボネート、ポリスチレン、ＡＳ樹脂、透明ＡＢＳ樹脂、透明ナイロン、透明ポリオレフィン系樹脂などの透明度８０％以上の透明樹脂材、または、前記透明樹脂材に着色したものとすることで、キャップ本体や天冠部等の構成部品を射出成形により容易に一体成形できるので量産化によりコストの低減を図ることができる。
【００４２】
尚、本実施形態では、インナーキャップ２２の作動手段としてコイルスプリング２６を採用しているが、本発明は、これに限定されるものではなく、例えば、キャップ３とインナーキャップ２２との間にゴム材を介在させて、ゴムの弾性によりインナーキャップ２２を動作させるものであっても良い。このような構成の場合には、ガイド部の寸法および形状をゴム材の弾性力に対応したものにすることは言うまでもない。
【００４３】
また、本実施形態では、ガイド部２１ｊは、リブ２１ｊ−１を軸心方向に沿って基部２１ｊ−２から先端部２１ｊ−３に亘り円周方向断面形状で略十字状に４箇所を突出形成しているが、本発明は、これに限定されるものではなく、例えば、ガイド部の形状を、軸心方向に沿って基部から先端部に亘り、必要な部位に複数（例えば、３箇所）のピンを突出形成してリブ状とし、該ピンによりスプリングの内径部をガイドするようにしたものであっても良い。この構成によると、本実施形態による効果と同様に、材料の低減を図るとともに、成形時のガス抜け（気泡防止）を行なうことができる。
さらに、上述した例にのみ限定されるものではなく、本発明の要旨を逸脱しない範囲内において種々変更を加え得ることは勿論である。
【００４４】
【発明の効果】
以上、説明したように本発明の請求項１〜６に記載の筆記具用キャップによれば、天冠部を視認性を有する材料により形成することで、内部構造を視認できるので、インナーキャップのペン先部との装着状態を確認することができる。また、天冠部の構成を、外周壁部の壁の厚さが違う厚肉部と薄肉部とを交互に形成するようにしたことで、薄肉化による材料削減を可能とするとともに、部分的に厚肉にすることで必要個所の強度を確保することができる。さらに、色付き樹脂材を使用した場合、色の濃淡部ができるので色合いに変化のある美しい外観を実現できる、という優れた効果を奏する。
【図面の簡単な説明】
【図１】（ａ）は本発明の本実施形態に係る筆記具の全体の構成を示す説明図、（ｂ）は前記筆記具を使用する状態の構成を示す説明図である。
【図２】前記筆記具のキャップをペン先部に装着した状態のペン先部付近の構成を示す詳細断面図である。
【図３】前記筆記具のキャップを筆記具の後端部に装着した状態の後端部の構成を示す詳細断面図である。
【図４】（ａ）は前記筆記具のキャップの天冠部の構成を示す側面図、（ｂ）は（ａ）のＡ−Ａ矢視断面図、（ｃ）は（ａ）のＢ−Ｂ矢視断面図である。
【符号の説明】
１  筆記具
２  筆記具本体
３  筆記具用キャップ
４  インクタンク
５  先軸
６  リフィール
７  後軸
８  ペン先部
１５  通気孔
２０  キャップ本体
２０ｅ  軸係止部
２１  天冠部
２１ｊ  ガイド部
２２  インナーキャップ
２２ａ  スプリング収容部
２２ｂ  ペン先収容部
２２ｆ  ストッパー部
２６  コイルスプリング
【図１】
0004577995.tif 000002
【図２】
0004577995.tif 000003
【図３】
0004577995.tif 000004
【図４】
0004577995.tif 000005